(57)【要約】【課題】上記の様な外耳道内部のマッサージ機は、電動で手軽に一人でできるが、一方では、耳孔の奥まで容易に入ってしまう構造になっている為、鼓膜や耳の奥を傷つけてしまうという心配がある。又、耳の奥まで入らない構造とした場合でも耳孔にフィットした形にした場合、又はマッサージ具本体を耳に押し当てた場合、マッサージ具により閉鎖された外耳道の内外に空気圧の差が生じ、マッサージをした時に鼓膜を圧迫して不快感があるという不具合がある。【解決手段】本発明の耳路マッサージ具は、マッサージ具を耳に強く押し当てても、外耳道の奥まで入らない形状とし、かつ外耳道に押し当てても、マッサージ具により閉鎖された外耳道の内外に空気圧の差が生じない様、マッサージ具の表面に溝を施す又は内部に通気道を持たせる、もしくは空気を通す事の出来る材料で形成する、もしくは使用時に変形する構造とした。【選択図】図１
2009022699.tif 000002
【特許請求の範囲】
【請求項１】
外耳道の入口内径よりも大きな外径のアウター振動体と、
アウター振動体に固定した外耳道内壁を振動させるインナー振動体と、
アウター振動体とインナー振動体とを振動させる加振機構と
を含めて構成してあり、
該インナー振動体が外耳道内挿入可能な形状に形成してあり、
かつ該インナー振動体を外耳道に挿入しても鼓膜まで届かない形状に形成してあり、
かつ該アウター振動体及び／又はインナー振動体によって閉鎖された外耳道内外を連通させる通気道を該アウター振動体及び／又はインナー振動体に形成してある事を特徴とする
外耳道内壁マッサージ機。
【請求項２】
前記アウター振動体及び／又はインナー振動体には、前記通気道として機能する溝をその表面部分に有している事を特徴とする請求項１記載の外耳道内壁マッサージ機。
【請求項３】
前記アウター振動体及び／又はインナー振動体は、その内部に空気の通る通気道を形成している事を特徴とする請求項１又は２に記載の外耳道内壁マッサージ機。
【請求項４】
前記アウター振動体及び／又はインナー振動体は、少なくともその一部が、空気を通す事の出来る材料で形成されている事を特徴とする請求項１〜３に記載の外耳道内壁マッサージ機。
【請求項５】
前記通気道は前記アウター振動体及び／又はインナー振動体の使用時の変形によって外耳道内外の空気が連通可能となる様に形成されている事を特徴とする請求項１に記載の外耳道内壁マッサージ機。
【請求項６】
前記アウター振動は、マッサージ機本体と脱着機構を介して取り付けられる構造とした事を特徴とする請求項１〜５に記載の外耳道内壁マッサージ機。
【発明の詳細な説明】
【技術分野】
【０００１】本発明は、マッサージ機に関し、更に詳しくは外耳道内壁のマッサージに好適なマッサージ機に関するものである。
【背景技術】
【０００２】従来の外耳道内壁のマッサージ機には、外耳道内にマッサージ具を入れることの出来る外耳道内マッサージ機がある。（例えば特許文献１，２  参照）
また、耳の奥まで入れることの出来ない突起を配した外耳道内マッサージ機がある。（例えば特許文献３  参照）
【特許文献１】実用新案登録第３１３１２６１号
【特許文献２】特開平７−１３２１３３号公報
【特許文献３】特開平２００３−２９９７０７
【０００３】特許文献１の従来技術は、外耳道内に棒状の細長いマッサージ具を挿入し、そのマッサージ具を電動式により振動もしくは回転させることによって、外耳道内をマッサージするという技術である。この従来技術の場合、電動式により手を動かさずに外耳道のマッサージが出来るという利便性はあるが、マッサージ具が細いため、注意深く操作をしないとマッサージ具が耳の奥まで入り込み、耳の内部を傷つけるという恐れがある。【０００４】特許文献２の従来技術は、外耳道内に挿入される棒状の細長いマッサージ具の長さを１〜２ｃｍと短くし、耳の奥まで入らない様にしてあるがマッサージ具本体を耳に押し付けながら使用した場合、マッサージ具本体により閉鎖された外耳道内部の空気に振動による圧力変動が生ずる為、鼓膜を圧迫してしまい心地よいマッサージ感が得られないという問題がある。【０００５】特許文献３の従来技術は、同じく耳路内にマッサージ具を挿入する形式であるが、特許文献１、２の様な棒状の細長いマッサージ具ではなく、台形状の角のある２つの突起を配した形状をしている。外耳道への心地よいマッサージ感を得るには、マッサージ具の形状を外耳道内壁に添う様な形状にして、内部をまんべんなく刺激する方が良いが、そうした形状にはなっていない。【０００６】上記の様な課題を解決でき、かつ簡単に出来る外耳道内壁マッサージ機は知られていない。
【発明の開示】
【発明が解決しようとする課題】
【０００７】上記の様な外耳道内部のマッサージ機は、電動で手軽に一人でできるが、一方では、耳孔の奥まで容易に入ってしまう構造になっている為、鼓膜や耳の奥を傷つけてしまうという心配がある。【０００８】又、耳の奥まで入らない構造とした場合でも耳孔にフィットした形にした場合、又はマッサージ具本体を耳に押し当てた場合には、マッサージ具により閉鎖された外耳道の内外に空気圧の差が生じ、マッサージをした時の振動による圧力変動により鼓膜を圧迫して不快感があるという不具合がある。
【課題を解決するための手段】
【０００９】本発明における第１の発明に係るマッサージ機は、
外耳道の入口内径よりも大きな外径のアウター振動体と、
アウター振動体に固定した外耳道内壁を振動させるインナー振動体と、
アウター振動体とインナー振動体とを振動させる加振機構と
を含めて構成してあり、【００１０】該インナー振動体が外耳道内挿入可能な形状に形成してあり、
かつ該インナー振動体を外耳道に挿入しても鼓膜まで届かない形状に形成してあり、
かつ該アウター振動体及び／又はインナー振動体によって閉鎖された外耳道内外を連通させる通気道を該アウター振動体及び／又はインナー振動体に形成してある事を特徴とする。【００１１】第１の発明に係るマッサージ機において、前記アウター振動体及び／又はインナー振動体には、前記通気道として機能する溝をその表面部分に有している事を特徴とする。【００１２】第１の発明に係るマッサージ機において、前記アウター振動体及び／又はインナー振動体は、その内部に空気の通る通気道を形成している事を特徴とする。【００１３】第１の発明に係るマッサージ機において、前記アウター振動体及び／又はインナー振動体は、少なくともその一部が、空気を通す事の出来る材料で形成されている事を特徴とする。【００１４】第１の発明に係るマッサージ機において、前記アウター振動体及び／又はインナー振動体は、使用時の変形によって外耳道内外の空気が連通可能となる様に形成されている事を特徴とする。【００１５】第１の発明に係るマッサージ機において、前記アウター振動は、マッサージ機本体と脱着機構を介して取り付けられる構造とした事を特徴とする。
【発明の効果】
【００１６】本考案は、上記の様な構成のマッサージ機であるので、これにより一人で、本マッサージ機を耳に押し当てるだけで安心して手軽に外耳道内のマッサージを快適に行うことが出来る。
【発明を実施するための最良の形態】
【００１７】以下、本考案の実施の形態を、図面を参照して説明する。図１は、本実施形態のマッサージ機の一例における全体概観図、図２は、本実施形態のマッサージ機の一例における全体断面図、図３はマッサージヘッド９をはずした時の全体概観図、図４はマッサージヘッド部を外耳道に挿入している状態の側面図、図５は図４の他の実施例である。【００１８】図６はマッサージヘッドの側面図及び断面図、図７〜１０は、マッサージヘッドの他の実施例の断面図及び概観図である。【００１９】本実施例の外耳道マッサージ機は、外耳道内に挿入して外耳道内壁をマッサージするマッサージ機であって、概略すると図１に示す様に、先端部が外耳道内に挿入されるインナー振動体１１と、インナー振動体が固定されているアウター振動体１０（１０、１１の両方からなるマッサージヘッド９）とマッサージヘッド駆動本体２０から構成され、マッサージヘッド９の先端部のインナー振動体１１を外耳道内に挿入した状態で外耳道内をマッサージできる様にした構成よりなる。【００２０】図２に示す様に、マッサージヘッド１駆動本体２０は、先端部にマッサージヘッド９が装着される部分であるマッサージヘッド装着部２１と全体が棒状のグリップ２２と、グリップ２２に内臓された振動発生器３０と振動発生器３０を作動させる為の電池４０から構成されている。また、グリップ２２の外部には、図１に示す様な電源及びスピード切替スイッチ２３が配設されている。【００２１】本実施例の耳路マッサージ機の使用方法を説明すると、マッサージヘッド９をマッサージヘッド駆動本体２０に装着し、インナー振動体１１を外耳道内に挿入し、マッサージ機駆動本体２０の電源スイッチ２３を操作する事で振動発生器３０からの振動がマッサージ機駆動本体を介してアウター振動体１０に伝わり、さらにインナー振動体１１に伝わり、外耳道内がマッサージされ該外耳道内に刺激が与えられる様に作用する。【００２２】図４に示す様にアウター振動体１０とインナー振動体の結合部分の直径Ｄが外耳道入り口部の直径ｄより大きくしておく事によって、マッサージヘッド９を耳に押し当てて使用しても、インナー振動体１１が鼓膜５に届かない形状にしておく事により、鼓膜５や耳の奥を傷つける心配がない。よって誰でも、マッサージ機を耳に押し当てるだけで容易に安心して使用する事が出来る。【００２３】他の実施例として図５に示す様に、インナー振動体１１が外耳道入り口で突き当たる様な形状とし、インナー振動体を外耳道内壁に密着させるという実施形態もある。【００２４】図６に示す様に、アウター振動体１０，インナー振動体１１には溝１２、あるいは図７の（ア）（イ）に示す様な通気道１５を形成しているので、マッサージヘッド９を耳に押し当てて使用しても、マッサージヘッド９によって閉鎖された外耳道の内外での気圧差が主じないので、外耳道内部の空気圧の変動がなく心地よいマッサージ感が得られる。【００２５】図８の様に溝１２の山側部分１３に突起１４を施すことにより、さらにマッサージ感を向上させる事も出来る。【００２６】アウター振動体１０及びインナー振動体１１を耳に押し当てた時にあえて変形させることにより溝や通気道を形成したと同様の効果をもららすことも出来る。【００２７】また、図３に示す様に、マッサージヘッド装着部２１に突起等を配設する事により、マッサージヘッドを取り外し、マッサージヘッド装着部２１を直接体の各部に押し当てる事により、耳路以外の部位についても本マッサージ機にてマッサージを行う事が出来る。【００２８】また、図９に示す様に、マッサージヘッド９を構成するアウター振動体１０とインナー振動体１１は特に境界がなく一体形状をしていてもなんら問題はない。インナー振動体１１の形状は前記実施例の様な形状に限定されるものではなく、図１０の（ウ）（エ）の様にアウター振動体１０に脱着自在とし、用途により使い分ける事も可能である。【００２９】なお、本発明は上述した実施例に限定されるものではなく、本発明の要旨を変更しない範囲内で変形実施できる構成を含むものである。因みに、上記実施例では、マッサーヘッドを振動させているが、例えばマッサージヘッドの先端を回転させる構成や、マッサージヘッドを振動及び回転できる様にして、そのいずれかを選択できる構成、その他微小進退する構成などにする事も出来る
【実施例】
【産業上の利用可能性】
【００３０】本考案は、外耳道のマッサージ機として、広く手軽に使用される。
【図面の簡単な説明】
【００３１】
【図１】  本発明の一実施例の全体概観図である。
【図２】  本発明の、一実施例における全体断面図である
【図３】  本発明の、一実施例における説明図である
【図４】  図１に示すマッサージ機のマッサージヘッドを外耳道に挿入したところの説明図である。
【図５】  図３に示すマッサージヘッドの他の実施例を示す説明図である
【図６】  本発明のマッサージヘッド部の実施例の側面図と断面図である
【図７】  図５に示すマッサージヘッドの他の実施例を示す断面図である
【図８】  図５に示すマッサージヘッドの他の実施例を示す断面図である
【図９】  図５に示すマッサージヘッドの変形例の概観図である
【図１０】  図５に示すマッサージヘッドの変形例の外観図である
【符号の説明】
【００３２】  １．  耳介
２．  外耳道
３．  外耳道内
４．  外耳道外
９．  マッサージヘッド
１０．  アウター振動体
１１．  インナー振動体
１２．  溝
１３．  山側部分
１４．  突起
１５．  通気道
２０．  加振機構
２１．  アウター振動体  装着部
２２．  グリップ
２３．  電源及びスピード切替スイッチ
３０．  振動発生器
４０．  電池
【図１】
2009022699.tif 000003
【図２】
2009022699.tif 000004
【図３】
2009022699.tif 000005
【図４】
2009022699.tif 000006
【図５】
2009022699.tif 000007
【図６】
2009022699.tif 000008
【図７】
2009022699.tif 000009
【図８】
2009022699.tif 000010
【図９】
2009022699.tif 000011
【図１０】
2009022699.tif 000012